(57)【要約】    【課題】      ケーブル接続方式の外部アンテナを使用することなく受信レベルの低下を防止することができるようにすること。    【解決手段】  携帯端末装置１５０は、アンテナ１５１、受信レベル測定部１５６、受信レベル比較部１５７、受信レベルが限界値よりも低い場合にワイヤレス外部アンテナ１１０へ呼出信号を送る呼出信号発生部１５９を備える。ワイヤレス外部アンテナ１１０は、垂直偏波用の第１アンテナ１１１、水平偏波用の第２アンテナ１１２、呼出信号検波部１１８、第１受信レベル測定部１１９、受信レベルと送信レベルとを比較する第１受信レベル比較部１２３、受信レベルが送信レベルよりも低い場合に不足するレベルを増幅処理して送信する第１送信部１２５、携帯端末装置１５０からの受信信号の受信レベルが所定レベルに達していない場合に送受信するアンテナを切り換えるアンテナ切換部１１５を備える。  【選択図】      図１
2006033243.tif 000002
【特許請求の範囲】
【請求項１】
ワイヤレス外部アンテナと、前記ワイヤレス外部アンテナを介して送受信する送受信機能を有する携帯端末装置と、を備えた無線送受信システムであって、
前記ワイヤレス外部アンテナは、前記携帯端末装置から受信した信号の受信レベルが所定レベルに達していない場合に、前記信号を発信する基地局からの到来偏波と同方向のアンテナを選択して前記携帯端末装置と送受信を行う送受信手段を具備することを特徴とする無線送受信システム。
【請求項２】
信号を送受信するアンテナと、
所定のタイミング信号に従って受信信号の受信レベルを測定する受信レベル測定部と、
前記受信レベル測定部で測定した受信レベルとワイヤレス外部アンテナの使用を必要とする受信レベルの限界値とを比較する受信レベル比較部と、
前記受信レベル比較部での比較結果、前記受信レベルが前記限界値よりも低いと判断された場合に、前記タイミング信号に従い、前記アンテナを介して前記ワイヤレス外部アンテナへ呼出信号を送る呼出信号発生部と、を具備することを特徴とする請求項１記載の無線送受信システムで用いる携帯端末装置。
【請求項３】
信号を送受信する垂直偏波用の第１の送受信アンテナと、
信号を送受信する水平偏波用の第２の送受信アンテナと、
前記第１の送受信アンテナまたは前記第２の送受信アンテナが受信した呼出信号を検波する呼出信号検波部と、
前記呼出信号検波部の検波のタイミングに応じて受信信号の受信レベルを測定する受信レベル測定部と、
前記受信レベル測定部により測定した受信レベルと予め設定された所定の送信レベルとを比較する受信レベル比較部と、
前記受信レベル比較部による比較結果、前記受信レベルが前記送信レベルよりも低い場合に、不足するレベルを増幅処理して送信する送信部と、
携帯端末装置からの受信信号の受信レベルが所定レベルに達していない場合に、前記受信信号を発信する基地局からの到来偏波と同方向の前記第１の送受信アンテナまたは前記第２の送受信アンテナを選択して送受信を行うように、送受信するアンテナを切り換えるアンテナ切換部と、を具備することを特徴とする請求項１記載の無線送受信システムで用いるワイヤレス外部アンテナ。
【発明の詳細な説明】
【技術分野】
【０００１】
本発明は、無線送受信システムに関し、詳しくは、ワイヤレス外部アンテナを使用して無線通信を行うことができる携帯端末装置に用いて有用な無線送受信システムに関する。
【背景技術】
【０００２】
従来、この種の無線送受信システムで用いられるアンテナとして、切換制御回路部から出される切換制御信号に応じて切り換えられる切換手段によりアンテナ素子の電気的接続状態をオン/オフして、偏波特性を切り換えるものが知られている（例えば、特許文献１参照）。
【０００３】
特許文献１記載のアンテナは、アンテナ素子の電気的接続がオンの時には、全周囲長が使用周波数において約１波長のループアンテナとして動作する。一方、アンテナ素子の電気的接続がオフの時には、前記切換手段の挿入位置において電気的にオープンの状態となってアンテナの動作モードが変化し、偏波方向が異なるアンテナとして動作する。
【０００４】
このように、このアンテナでは、音声通話時(人体頭部に近接させた実人体通話時)及びデータ通信時のいずれの使用状態においても良好なアンテナ特性を得るために、その偏波特性を切り換えるようにしている。
【特許文献１】特開２００１−３２６５１４号公報
【発明の開示】
【発明が解決しようとする課題】
【０００５】
しかしながら、前記従来のアンテナを用いた無線送受信システムでは、ユーザが設定したアンテナ位置によっては受信偏波を適切に受信することができず受信レベルが低下してしまうことがある。特にノートパソコンやＰＤＡなどを用いてデータ通信を行う無線送受信システムの場合には、そのアンテナがノートパソコンやＰＤＡなどに近づくことでそれらの発生するノイズの影響を強く受ける。このようなノイズは、実際の通信品質を劣化させる要因となる。
【０００６】
このような受信レベルの低下を防止する方法として、移動自在の外部アンテナを使用して携帯端末装置のアンテナをノートパソコンやＰＤＡなどから離す方法がある。しかしながら、この方法では、携帯端末装置と外部アンテナとをつなぐケーブルが必要となるため、ケーブルの装着および離脱に手間がかかる。また、このような外部アンテナを使用した携帯端末装置は、ノートパソコンやＰＤＡなどの周囲にケーブルが存在するため、ユーザの操作性が低下してしまうという問題がある。
【０００７】
本発明は、このような問題を解決するためになされたもので、ケーブル接続方式の外部アンテナを使用することなく受信レベルの低下を防止することができる無線送受信システムを提供することを目的とする。
【課題を解決するための手段】
【０００８】
かかる課題を解決するため、本発明の無線送受信システムは、ワイヤレス外部アンテナと、前記ワイヤレス外部アンテナを介して送受信する送受信機能を有する携帯端末装置と、を備えた無線送受信システムであって、前記ワイヤレス外部アンテナは、前記携帯端末装置が受信した信号の受信レベルが所定レベルに達していない場合に、前記信号を発信する基地局からの到来偏波と同方向のアンテナを選択して前記携帯端末装置と送受信を行う送受信手段を具備する構成を採る。
【０００９】
この構成によれば、ユーザが可動式アンテナを設定する位置によって受信偏波を適切に送受信することができなくても、前記ワイヤレス外部アンテナが到来偏波と同方向のアンテナで適切な送受信を行うので、前記携帯端末装置の受信レベルの低下を防ぐことができる。また、この構成においては、ワイヤレス外部アンテナを用いて送受信を行っているので、携帯端末装置と外部アンテナとをつなぐケーブルが不要となり、アンテナの装着および離脱に手間がかかったり、ケーブルの存在によりユーザの操作性が低下したりするという問題を回避することができる。
【発明の効果】
【００１０】
本発明によれば、ワイヤレス外部アンテナにより適切な送受信を行うので前記携帯端末装置の受信レベルの低下を防ぐことができ、またケーブルが不要となるのでアンテナの装着および離脱の手間がなく、ユーザの操作性の低下を回避できる。
【発明を実施するための最良の形態】
【００１１】
以下、本発明の実施の形態について、図面を参照して詳細に説明する。なお、本発明と関係のない部分の構成については説明を省略する。
【００１２】
図１は、本発明の一実施の形態に係る無線送受信システムの構成を示すブロック図である。図１に示すように、本実施の形態に係る無線送受信システム１００は、ワイヤレス外部アンテナ１１０と、携帯端末装置１５０と、を備えている。
【００１３】
ワイヤレス外部アンテナ１１０は、例えば、垂直偏波用アンテナからなる第１アンテナ１１１と、水平偏波用アンテナからなる第２アンテナ１１２と、を備えている。また、ワイヤレス外部アンテナ１１０は、スイッチ（ＳＷ）部１１３、共用部１１４、アンテナ切換部１１５、第１受信部１１６、第２受信部１１７、呼出信号検波部１１８、第１受信レベル測定部１１９、第２受信レベル測定部１２０、タイミング制御部１２１、記憶部１２２、第１受信レベル比較部１２３、第２受信レベル比較部１２４、第１送信部１２５、第２送信部１２６、共用部１２７を備えている。
【００１４】
一方、携帯端末装置１５０は、アンテナ１５１、共用部１５２、送信部１５３、ＢＢ処理部１５４、受信部１５５、受信レベル測定部１５６、受信レベル比較部１５７、記憶部１５８、呼出信号発生部１５９、タイミング制御部１６０、を備えている。
【００１５】
次に、図１及び図２を参照して、本実施の形態に係る無線送受信システムにおける送受信信号の処理動作について説明する。図２は、本実施の形態に係る無線送受信システムの送受信信号の処理動作を示すフローチャートである。
【００１６】
図１において、符号ｆａは、基地局（不図示）、ワイヤレス外部アンテナ１１０、および携帯端末装置１５０で使用する受信周波数である。また、符号ｆｂは、携帯端末装置１５０、ワイヤレス外部アンテナ１１０、および基地局で使用する送信周波数である。
【００１７】
また、本実施の形態に係る無線送受信システム１００においては、一例として、携帯端末装置１５０のアンテナ１５１を水平偏波用アンテナと仮定する。このアンテナ１５１は、基地局から垂直偏波を受信し、水平偏波で携帯端末装置１５０へ信号を送信する。
【００１８】
図１及び図２示すように、携帯端末装置１５０は、アンテナ１５１で信号を受信すると、共用部１５２を通して受信部１５５および受信レベル測定部１５６へ信号を送る。これにより、受信レベル測定部１５６が、所定のタイミング信号に従って携帯端末装置１５０の受信信号の受信レベルを測定する(ステップＳＴ２０１)。ここで、前記タイミング信号は、ＢＢ処理部１５４で制御するタイミング制御部１６０から発生する。
【００１９】
次いで、受信レベル比較部１５７が、受信レベル測定部１５６で測定した携帯端末装置１５０の受信レベルと、記憶部１５８に予め記憶されているワイヤレス外部アンテナ１１０の使用を必要とする場合の携帯端末装置１５０の受信レベルの限界値とを比較する(ステップＳＴ２０２)。
【００２０】
この受信レベル比較部１５７での比較結果、携帯端末装置１５０の受信レベルが前記限界値よりも低いと判断された場合（限界値を満たさない場合）には、呼出信号発生部１５９へ制御信号を送る。これにより、呼出信号発生部１５９は、前記タイミング信号に従い、送信部１５３から共用部１５２およびアンテナ１５１を介してワイヤレス外部アンテナ１１０へ呼出信号を送る。(ステップＳＴ２０３)。
【００２１】
このワイヤレス外部アンテナ１１０へ送られた呼出信号は、第１アンテナ１１１、ＳＷ部１１３および共用部１１４を通して第２受信部１１７へ送られる。この間に、第２受信部１１７へ送られる呼出信号が呼出信号検波部１１８により検出されると、アンテナ切換部１１５が制御されて、受信アンテナとして第１アンテナ１１１が選択され、送信アンテナとして第２アンテナ１１２が選択される。
【００２２】
一方、受信レベル比較部１５７での比較結果、携帯端末装置１５０の受信レベルが前記限界値よりも高いと判断された場合（限界値を満たす場合）には、ワイヤレス外部アンテナ１１０を経由しないで、携帯端末装置１５０の受信信号は受信部１５５およびＢＢ処理部１５４により復調処理が行われる(ステップＳＴ２０４)。
【００２３】
ワイヤレス外部アンテナ１１０は、呼出信号検波部１１８で呼出信号を検波すると、タイミング制御部１２１へ制御信号を送る。これにより、タイミング制御部１２１のタイミング信号によって、第１受信レベル測定部１１９および第２受信レベル測定部１２０の駆動が始まる(ステップＳＴ２０５)。
【００２４】
また、アンテナ切換部１１５は、第１アンテナ１１１と第２アンテナ１１２との受信側の共用部１１４および送信側の共用部１２７へのＳＷ部１１３の切換および接続を行う。(ステップＳＴ２０６)。
【００２５】
ここでは、ＳＷ部１１３の切換および接続後、第１アンテナ１１１が垂直偏波の受信を開始する(ステップＳＴ２０７，ステップＳＴ２０８)。この第１アンテナ１１１により受信された信号は、第１受信部１１６で低ノイズ化され（ステップＳＴ２０９）、第１レベル測定部１１９で受信レベルが測定される(ステップＳＴ２１０)。
【００２６】
また、第１レベル測定部１１９で測定された受信レベルは、第１受信レベル比較部１２３で記憶部１２２に予め設定されて記憶されている所定の送信レベルと比較される。この比較結果、前記受信レベルが前記送信レベルよりも低い場合には、その不足するレベルが第１送信部１２５で増幅処理される(ステップＳＴ２１０)。
【００２７】
そして、この増幅処理された送信信号は、ステップＳＴ２０６での選択結果に基づいて、ステップＳＴ２１１において垂直偏波用アンテナを用いて送信するように選択され、送信側の共用部１２７およびＳＷ部１１３を介して第２アンテナ１１２により送信される(ステップＳＴ２１２)。
【００２８】
ところで、ここでは、携帯端末装置１５０のアンテナ１５１を水平偏波用アンテナとし、垂直偏波を受信した場合の受信信号の処理動作について述べた。これとは逆に携帯端末装置１５０のアンテナ１５１を垂直偏波用アンテナとし、水平偏波を受信する場合には、ワイヤレス外部アンテナ１１０で使用する第１アンテナ１１１と第２アンテナ１１２の立場が逆となるだけで、処理手順は上述と同様に行われる。
【００２９】
つまり、後者の場合には、ステップＳＴ２０６でのＳＷ部１１３の切換および接続後、第１アンテナ１１１が水平偏波の受信を開始する(ステップＳＴ２１３，ステップＳＴ２０８)。
【００３０】
この第１アンテナ１１１により受信された信号は、前者の場合と同様に、第１受信部１１６で低ノイズ化され（ステップＳＴ２０９）、第１レベル測定部１１９で受信レベルが測定され(ステップＳＴ２１０)、測定された受信レベルが、第１受信レベル比較部１２３で記憶部１２２に予め記憶されている所定の送信レベルと比較され、不足するレベルが第１送信部１２５で増幅処理される(ステップＳＴ２１０)。
【００３１】
そして、この増幅処理された送信信号は、ステップＳＴ２０６での選択結果に基づいて、ステップＳＴ２１１において水平偏波用アンテナを用いて送信するように選択され、送信側の共用部１２７およびＳＷ部１１３を介して第２アンテナ１１２により送信される(ステップＳＴ２１４)。
【００３２】
また、ここでは、携帯端末装置１５０における受信信号の処理動作について述べたが、携帯端末装置１５０における送信信号の処理動作は、受信信号のワイヤレス外部アンテナ１１０での増幅処理が始まると、自動的に始まる。
【００３３】
すなわち、携帯端末装置１５０の送信信号は、第１アンテナ１１１およびＳＷ部１１３を介し、共用部１１４を通じて第２受信部１１７に送られ、第２受信レベル測定部１２０により受信レベルが測定される。この測定された受信レベルは、記憶部１２２に予め記憶されている送信レベルと第２受信レベル比較部１２４にて比較され、不足するレベルが第２送信部１２６にて増幅される。
【００３４】
このように、本実施の形態に係る無線送受信システム１００においては、受信偏波を適切に送受信することができなくても、ワイヤレス外部アンテナ１１０が到来偏波と同方向のアンテナで適切な送受信を行うので、携帯端末装置１５０の受信レベルの低下を防ぐことができる。
【産業上の利用可能性】
【００３５】
本発明に係る無線送受信システムは、ワイヤレス外部アンテナにより適切な送受信を行って受信レベルの低下を防ぐことができ、またアンテナの装着および離脱の手間がなく、ユーザの操作性の低下を回避することができるので、携帯端末装置の無線送受信システムとして有用である。
【図面の簡単な説明】
【００３６】
【図１】本発明の一実施の形態に係る無線送受信システムの構成を示すブロック図
【図２】本発明の一実施の形態に係る無線送受信システムの送受信信号の処理動作を示すフローチャート
【符号の説明】
【００３７】
１００  無線送受信システム
１１０  ワイヤレス外部アンテナ
１１１  第１アンテナ
１１２  第２アンテナ
１１３  ＳＷ部
１１４  共用部
１１５  アンテナ切換部
１１６  第１受信部
１１７  第２受信部
１１８  呼出信号検波部
１１９  第１受信レベル測定部
１２０  第２受信レベル測定部
１２１  タイミング制御部
１２２  記憶部
１２３  第１受信レベル比較部
１２４  第２受信レベル比較部
１２５  第１送信部
１２６  第２送信部
１２７  共用部
１５０  携帯端末装置
１５１  アンテナ
１５２  共用部
１５３  送信部
１５４  ＢＢ処理部
１５５  受信部
１５６  受信レベル測定部
１５７  受信レベル比較部
１５８  記憶部
１５９  呼出信号発生部
１６０  タイミング制御部
【図１】
2006033243.tif 000003
【図２】
2006033243.tif 000004